(57)【要約】【課題】エフェクトの時間に基づいた意見の比較ができない。【解決手段】全てのものであるオブジェクトの名前を情報入力装置を用いて入力し（１１）、前記オブジェクトに対するアクションの種類を情報入力装置を用いて入力する（１２）。次に、入力されたオブジェクトの名前に応じた意見文をオブジェクト文記憶装置４から取得する（２）。取得された意見文を、当該オブジェクトの名前，アクションの種類と共にエフェクト前後に分けて出力する（３）。【選択図】図１
2008305040.tif 000002
【特許請求の範囲】
【請求項１】
全てのものであるオブジェクトの名前，該オブジェクトに対する意見を記載した意見文，該意見文が記述された記述日を含むオブジェクト文情報を記憶し管理するオブジェクト文記憶装置と、
情報入力装置と、を備え、
該オブジェクトに応じた意見文を出力する意見文出力装置であって、
前記オブジェクトの名前を前記情報入力装置を用いて入力する名前入力手段と、
前記オブジェクトに対するアクションの種類を前記情報入力装置を用いて入力するアクションの種類入力手段と、
を備え、それら各手段を使って前記オブジェクトに関する情報を入力するオブジェクト情報入力手段と、
前記オブジェクト情報入力手段によって入力されたオブジェクトの名前に応じた意見文を前記オブジェクト文記憶装置から取得するエフェクト前後別の意見文取得手段と、
前記エフェクト前後別の意見文取得手段によって取得された意見文を、当該オブジェクトの名前，アクションの種類と共にエフェクト前後に分けて出力する意見文出力手段と、
を備えることを特徴とする意見文出力装置。
【請求項２】
請求項１に記載の意見文出力装置において、
オブジェクトの名前，該オブジェクトに対するアクションの種類，該オブジェクトに対してアクションを起動する日であるアクション起動日を含むアクション情報を記憶し管理するアクション情報記憶装置と、
前記名前入力手段によって入力されたオブジェクトの名前に関して、前記アクションの種類の入力手段によって入力されたアクションの種類に応じたアクション起動日を、前記アクション情報記憶装置から取得するアクション起動日取得手段と、
を備え、
前記エフェクト前後別の意見文取得手段が、
前記アクション起動日取得手段によって、入力されたアクションの種類に応じたアクション起動日を取得し、前記アクション起動日に基づいてエフェクト前後に分類し、オブジェクト情報入力手段によって入力されたオブジェクトの名前に応じた意見文を前記オブジェクト文記憶装置から取得する手段、
を備える
ことを特徴とする意見文出力装置。
【請求項３】
請求項２に記載の意見文出力装置において、
前記アクションの種類入力手段によって入力されたアクションの種類に応じて、アクション起動日取得手段によって取得したアクション起動日と、意見文の記述日時と、に基づいて、前記オブジェクト文記憶装置に含まれている意見文が、エフェクトの前か後かの判定を行うエフェクト前後判定手段、
を備え、
前記エフェクト前後別の意見文取得手段が、
前記エフェクト前後判定手段によってエフェクト前後に分類し、オブジェクト情報入力手段によって入力されたオブジェクトの名前に応じた意見文を前記オブジェクト文記憶装置から取得する手段、
を備える
ことを特徴とする意見文出力装置。
【請求項４】
請求項３に記載の意見文出力装置において、
前記エフェクト前後判定手段が、
前記アクション起動日取得手段によって取得されたアクション起動日に基づいて、予め決めた期間内に記述された意見文を、前記オブジェクト文記憶装置から取得する一定期間の意見文取得手段と、
前記一定期間の意見文取得手段で取得された意見文に対して、単位時間当たりの意見文が記述された文書数を集計する単位時間当たりの文書数取得手段と、
前記文書数取得手段で集計された単位時間当たりの文書数に基づいて、隣接した時間内の文書数の差が一定数以上あった日をエフェクト開始日として出力する手段と、
全意見文に対して隣接した時間内の文書数の差が一定数以上なければ、前記アクション起動日取得手段によって取得されたアクション起動日をエフェクト開始日として出力する手段と、を備え、エフェクト開始日を特定するエフェクト開始日特定手段と、
を備える
ことを特徴とする意見文出力装置。
【請求項５】
請求項１乃至４のいずれかに記載の意見文出力装置において、
前記意見文出力手段が、
前記エフェクト前後の意見文取得手段によって取得された意見文の種類毎の出現数に基づいて、当該意見文の種類の統計情報を算出する意見集計手段と、
前記意見集計手段によって算出された統計情報を、前記オブジェクトの名前，前記アクションの種類と共に、エフェクト前後別に意見文を出力する手段と、
を備える
ことを特徴とする意見文出力装置。
【請求項６】
全てのものであるオブジェクトの名前，該オブジェクトに対する意見を記載した意見文，該意見文が記述された記述日を含むオブジェクト文情報を記憶し管理するオブジェクト文記憶装置と、
情報入力装置と、を備え、
該オブジェクトに応じた意見文を出力する装置に使用する
意見文出力方法であって、
前記オブジェクトの名前を前記情報入力装置を用いて入力する名前入力ステップと、
前記オブジェクトに対するアクションの種類を前記情報入力装置を用いて入力するアクションの種類入力ステップと、
を有し、それら各ステップを使って前記オブジェクトに関する情報を入力するオブジェクト情報入力ステップと、
前記オブジェクト情報入力ステップによって入力されたオブジェクトの名前に応じた意見文を前記オブジェクト文記憶装置から取得するエフェクト前後別の意見文取得ステップと、
前記エフェクト前後別の意見文取得ステップによって取得された意見文を、当該オブジェクトの名前，アクションの種類と共にエフェクト前後に分けて出力する意見文出力ステップと、
を有することを特徴とする意見文出力方法。
【請求項７】
全てのものであるオブジェクトの名前，該オブジェクトに対する意見を記載した意見文，該意見文が記述された記述日を含むオブジェクト文情報を記憶し管理するオブジェクト文記憶装置と、
オブジェクトの名前，該オブジェクトに対するアクションの種類，該オブジェクトに対してアクションを起動する日であるアクション起動日を含むアクション情報を記憶し管理するアクション情報記憶装置と、
情報入力装置と、を備え、
該オブジェクトに応じた意見文を出力する装置に使用する
意見文出力方法であって、
前記オブジェクトの名前を前記情報入力装置を用いて入力する名前入力ステップと、
前記オブジェクトに対するアクションの種類を前記情報入力装置を用いて入力するアクションの種類入力ステップと、
を備え、それら各ステップを使って前記オブジェクトに関する情報を入力するオブジェクト情報入力ステップと、
前記エフェクト前後別の意見文取得ステップによって取得された意見文を、当該オブジェクトの名前，アクションの種類と共にエフェクト前後に分けて出力する意見文出力ステップと、
前記名前入力ステップによって入力されたオブジェクトの名前に関して、前記アクションの種類の入力ステップによって入力されたアクションの種類に応じたアクション起動日を、前記アクション情報記憶装置から取得するアクション起動日取得ステップと、
前記アクション起動日取得ステップによって、入力されたアクションの種類に応じたアクション起動日を取得し、該アクション起動日に基づいてエフェクト前後に分類し、オブジェクト情報入力ステップによって入力されたオブジェクトの名前に応じた意見文を前記オブジェクト文記憶装置から取得するエフェクト前後別の意見文取得ステップと、
前記エフェクト前後別の意見文取得ステップによって取得された意見文を、当該オブジェクトの名前，アクションの種類と共にエフェクト前後に分けて出力する意見文出力ステップと、
を有することを特徴とする意見文出力方法。
【請求項８】
請求項７に記載の意見文出力方法において、
前記エフェクト前後別の意見文取得ステップが、
前記取得したアクション起動日と、意見文の記述日時と、に基づいて、前記オブジェクト文記憶装置に含まれている意見文が、エフェクトの前か後かの判定を行うステップと、
前記オブジェクト情報入力ステップによって入力されたオブジェクトの名前に応じた意見文を、前記判定結果に基づいてエフェクト前後に分類して、前記オブジェクト文記憶装置から取得するステップと、
を有する、
ことを特徴とする意見文出力方法。
【請求項９】
請求項８に記載の意見文出力方法において、
前記前記エフェクト前後別の意見文取得ステップが、
前記アクション起動日取得ステップによって取得されたアクション起動日に基づいて、予め決めた期間内に記述された意見文を、前記オブジェクト文記憶装置から取得する一定期間の意見文取得ステップと、
前記一定期間の意見文取得ステップで取得された意見文に対して、単位時間当たりの意見文が記述された文書数を集計する単位時間当たりの文書数取得ステップと、
前記文書数取得ステップで集計された単位時間当たりの文書数に基づいて、隣接した時間内の文書数の差が一定数以上あった日をエフェクト開始日として出力するステップと、
全意見文に対して隣接した時間内の文書数の差が一定数以上なければ、前記アクション起動日取得ステップによって取得されたアクション起動日をエフェクト開始日として出力するステップと、を有し、エフェクト開始日を特定するエフェクト開始日特定ステップと、
を有する
ことを特徴とする意見文出力方法。
【請求項１０】
請求項６乃至９のいずれかに記載の意見文出力方法において、
前記意見文出力ステップが、
前記エフェクト前後の意見文取得ステップによって取得された意見文の種類毎の出現数に基づいて、当該意見文の種類の統計情報を算出する意見集計ステップと、
前記意見集計ステップによって算出された統計情報を、前記オブジェクトの名前，前記アクションの種類と共に、エフェクト前後別に意見文を出力するステップと、
を有する
ことを特徴とする意見文出力方法。
【請求項１１】
請求項１乃至５のいずれかに記載の意見文出力装置における各手段を、コンピュータで実行可能なコンピュータプログラムとして記述したことを特徴とする意見文出力プログラム。
【請求項１２】
請求項１１に記載の意見文出力プログラムを記録したことを特徴とする記録媒体。
【発明の詳細な説明】
【技術分野】
【０００１】
本発明は、電子文書に含まれる特定の意見を表す意見文を出力する技術に関するものである。
【背景技術】
【０００２】
インターネットやアンケート調査等において、有形の存在（例えば、作品），無形の存在（例えば、イベント）を含むもの全てもの（即ち、オブジェクト）に対して、自然言語で記載された意見文が含まれている電子文書（以下、単に文書という）から、時間という観点で比較するために、その意見文を出力する手法は一般に知られている。
【０００３】
例えば、文書内から意見文を抽出し、時間を含むさまざまな観点で比較分析できるように意見文を表示する技術（例えば、非特許文献１参照）である。この技術によって、意見文の記述時刻という観点で分類し、比較できる。
【０００４】
また、文書内の主観的な特徴語を数値化し、さまざまな観点で主観的な特徴を表示する技術（例えば、非特許文献２参照）も知られている。例えば、アンケートの実施時期を一定期間に区切って表示することによって、その期間毎に意見の状況を比較できる。
【０００５】
一方、記述されている表現の出現に関して時間軸で分析している技術（例えば、非特許文献３参照）も存在する。この技術では、一定の期間内で急激に出現頻度が増す表現をその期間で注目されている話題と特定している。この技術を用いれば、例えば、ある特定の意見が一定期間に文書内でどのように出現しているかを知ることは可能であり、複数の意見表現を同一期間内で比較すれば、どのような意見が活発に交わされているかが判る。
【非特許文献１】立石  健二，福島  俊一，小林  のぞみ，上出  将行，高橋  哲朗，乾  孝司，藤田  篤，乾  健太郎，松本  裕治、「Ｗｅｂ文書集合からの意見情報抽出と着眼点に基づく要約生成」、第１０回年次大会  発表論文集、言語処理学会、２００４（平成１６）年３月、ＰＰ．６４４−６４７。
【非特許文献２】佐野  真、「感性品質評価語辞書を利用したテキストマイニング」、情報処理学会論文誌：データベース、情報処理学会、２００４（平成１６）年６月、Ｖｏｌ．４５  Ｎｏ．ＳＩＧ０７、ｐｐ．４３−５３。
【非特許文献３】藤木  稔明，南野  朋之，鈴木  泰裕，奥村  学、「ｄｏｃｕｍｅｎｔ  ｓｔｒｅａｍにおけるｂｕｒｓｔの発見」、情報処理学会研究報告、情報処理学会  自然言語処理研究会、２００４（平成１６）年３月５日、２００４−ＮＬ−１６０、ｐｐ．８５−９２。
【発明の開示】
【発明が解決しようとする課題】
【０００６】
上述のどの技術も、時間の設定が文書の記述された時間であって、意見対象そのものに関する時間、即ち、オブジェクト（例えば、作品，イベント）のアクションによって受けるエフェクト（例えば、視聴，体験）の時間を扱ってはいない。
【０００７】
そのために、オブジェクトに対する同じアクション（例えば、公開，実施）の種類に関するアクションを起動する日（即ち、アクション起動日もしくはアクション時期；例えば、公開時期，実施時期）の異なる複数のオブジェクトに対して、当該複数のオブジェクトの異なるアクションに起因する人間（例えば、視聴者や体験者）の意見（もしくは感想）を比較することが困難であった。
【０００８】
また、同じオブジェクトに関するアクション日の異なる複数のアクションの種類に対して、当該複数のアクションの種類の異なるアクションに起因する人間の意見（もしくは感想）を比較することが困難であった。
【０００９】
本発明は、前記課題に基づいてなされたものであって、オブジェクトの意見文を比較できるように、該オブジェクトに対する意見文をエフェクトの前後に分類して出力する意見文出力装置，意見文出力方法，意見文出力プログラム及びそのプログラムを格納した記録媒体を提供することにある。
【課題を解決するための手段】
【００１０】
前記課題の解決を図るために、請求項１記載の発明は、全てのものであるオブジェクトの名前，該オブジェクトに対する意見を記載した意見文，該意見文が記述された記述日を含むオブジェクト文情報を記憶し管理するオブジェクト文記憶装置と、情報入力装置と、を備え、該オブジェクトに応じた意見文を出力する意見文出力装置であって、前記オブジェクトの名前を前記情報入力装置を用いて入力する名前入力手段と、前記オブジェクトに対するアクションの種類を前記情報入力装置を用いて入力するアクションの種類入力手段と、を備え、それら各手段を使って前記オブジェクトに関する情報を入力するオブジェクト情報入力手段と、前記オブジェクト情報入力手段によって入力されたオブジェクトの名前に応じた意見文を前記オブジェクト文記憶装置から取得するエフェクト前後別の意見文取得手段と、前記エフェクト前後別の意見文取得手段によって取得された意見文を、当該オブジェクトの名前，アクションの種類と共にエフェクト前後に分けて出力する意見文出力手段と、を備えることを特徴とする。
【００１１】
請求項２記載の発明は、請求項１記載の発明において、オブジェクトの名前，該オブジェクトに対するアクションの種類，該オブジェクトに対してアクションを起動する日であるアクション起動日を含むアクション情報を記憶し管理するアクション情報記憶装置と、前記名前入力手段によって入力されたオブジェクトの名前に関して、前記アクションの種類の入力手段によって入力されたアクションの種類に応じたアクション起動日を、前記アクション情報記憶装置から取得するアクション起動日取得手段と、を備え、前記エフェクト前後別の意見文取得手段が、前記アクション起動日取得手段によって、入力されたアクションの種類に応じたアクション起動日を取得し、前記アクション起動日に基づいてエフェクト前後に分類し、オブジェクト情報入力手段によって入力されたオブジェクトの名前に応じた意見文を前記オブジェクト文記憶装置から取得する手段、を備えることを特徴とする特徴とする。
【００１２】
請求項３記載の発明は、請求項２記載の発明において、前記アクションの種類入力手段によって入力されたアクションの種類に応じて、アクション起動日取得手段によって取得したアクション起動日と、意見文の記述日時と、に基づいて、前記オブジェクト文記憶装置に含まれている意見文が、エフェクトの前か後かの判定を行うエフェクト前後判定手段、を備え、前記エフェクト前後別の意見文取得手段が、前記エフェクト前後判定手段によってエフェクト前後に分類し、オブジェクト情報入力手段によって入力されたオブジェクトの名前に応じた意見文を前記オブジェクト文記憶装置から取得する手段、を備えることを特徴とする特徴とする。
【００１３】
請求項４記載の発明は、請求項３記載の発明において、前記エフェクト前後判定手段が、前記アクション起動日取得手段によって取得されたアクション起動日に基づいて、予め決めた期間内に記述された意見文を、前記オブジェクト文記憶装置から取得する一定期間の意見文取得手段と、前記一定期間の意見文取得手段で取得された意見文に対して、単位時間当たりの意見文が記述された文書数を集計する単位時間当たりの文書数取得手段と、前記文書数取得手段で集計された単位時間当たりの文書数に基づいて、隣接した時間内の文書数の差が一定数以上あった日をエフェクト開始日として出力する手段と、全意見文に対して隣接した時間内の文書数の差が一定数以上なければ、前記アクション起動日取得手段によって取得されたアクション起動日をエフェクト開始日として出力する手段と、を備え、エフェクト開始日を特定するエフェクト開始日特定手段と、を備えることを特徴とする特徴とする。
【００１４】
請求項５記載の発明は、請求項１乃至４のいずれかに記載の発明において、前記意見文出力手段が、前記エフェクト前後の意見文取得手段によって取得された意見文の種類毎の出現数に基づいて、当該意見文の種類の統計情報を算出する意見集計手段と、前記意見集計手段によって算出された統計情報を、前記オブジェクトの名前，前記アクションの種類と共に、エフェクト前後別に意見文を出力する手段と、を備えることを特徴とする特徴とする。
【００１５】
請求項６記載の発明は、全てのものであるオブジェクトの名前，該オブジェクトに対する意見を記載した意見文，該意見文が記述された記述日を含むオブジェクト文情報を記憶し管理するオブジェクト文記憶装置と、情報入力装置と、を備え、該オブジェクトに応じた意見文を出力する装置に使用する意見文出力方法であって、前記オブジェクトの名前を前記情報入力装置を用いて入力する名前入力ステップと、前記オブジェクトに対するアクションの種類を前記情報入力装置を用いて入力するアクションの種類入力ステップと、を有し、それら各ステップを使って前記オブジェクトに関する情報を入力するオブジェクト情報入力ステップと、前記オブジェクト情報入力ステップによって入力されたオブジェクトの名前に応じた意見文を前記オブジェクト文記憶装置から取得するエフェクト前後別の意見文取得ステップと、前記エフェクト前後別の意見文取得ステップによって取得された意見文を、当該オブジェクトの名前，アクションの種類と共にエフェクト前後に分けて出力する意見文出力ステップと、を有することを特徴とする。
【００１６】
請求項７記載の発明は、全てのものであるオブジェクトの名前，該オブジェクトに対する意見を記載した意見文，該意見文が記述された記述日を含むオブジェクト文情報を記憶し管理するオブジェクト文記憶装置と、オブジェクトの名前，該オブジェクトに対するアクションの種類，該オブジェクトに対してアクションを起動する日であるアクション起動日を含むアクション情報を記憶し管理するアクション情報記憶装置と、情報入力装置と、を備え、該オブジェクトに応じた意見文を出力する装置に使用する意見文出力方法であって、前記オブジェクトの名前を前記情報入力装置を用いて入力する名前入力ステップと、前記オブジェクトに対するアクションの種類を前記情報入力装置を用いて入力するアクションの種類入力ステップと、を備え、それら各ステップを使って前記オブジェクトに関する情報を入力するオブジェクト情報入力ステップと、前記エフェクト前後別の意見文取得ステップによって取得された意見文を、当該オブジェクトの名前，アクションの種類と共にエフェクト前後に分けて出力する意見文出力ステップと、前記名前入力ステップによって入力されたオブジェクトの名前に関して、前記アクションの種類の入力ステップによって入力されたアクションの種類に応じたアクション起動日を、前記アクション情報記憶装置から取得するアクション起動日取得ステップと、前記アクション起動日取得ステップによって、入力されたアクションの種類に応じたアクション起動日を取得し、該アクション起動日に基づいてエフェクト前後に分類し、オブジェクト情報入力ステップによって入力されたオブジェクトの名前に応じた意見文を前記オブジェクト文記憶装置から取得するエフェクト前後別の意見文取得ステップと、前記エフェクト前後別の意見文取得ステップによって取得された意見文を、当該オブジェクトの名前，アクションの種類と共にエフェクト前後に分けて出力する意見文出力ステップと、を有することを特徴とする。
【００１７】
請求項８記載の発明は、請求項７記載の発明において、前記エフェクト前後別の意見文取得ステップが、前記取得したアクション起動日と、意見文の記述日時と、に基づいて、前記オブジェクト文記憶装置に含まれている意見文が、エフェクトの前か後かの判定を行うステップと、前記オブジェクト情報入力ステップによって入力されたオブジェクトの名前に応じた意見文を、前記判定結果に基づいてエフェクト前後に分類して、前記オブジェクト文記憶装置から取得するステップと、を有する、ことを特徴とする。
【００１８】
請求項９記載の発明は、請求項８記載の発明において、前記前記エフェクト前後別の意見文取得ステップが、前記アクション起動日取得ステップによって取得されたアクション起動日に基づいて、予め決めた期間内に記述された意見文を、前記オブジェクト文記憶装置から取得する一定期間の意見文取得ステップと、前記一定期間の意見文取得ステップで取得された意見文に対して、単位時間当たりの意見文が記述された文書数を集計する単位時間当たりの文書数取得ステップと、前記文書数取得ステップで集計された単位時間当たりの文書数に基づいて、隣接した時間内の文書数の差が一定数以上あった日をエフェクト開始日として出力するステップと、全意見文に対して隣接した時間内の文書数の差が一定数以上なければ、前記アクション起動日取得ステップによって取得されたアクション起動日をエフェクト開始日として出力するステップと、を有し、エフェクト開始日を特定するエフェクト開始日特定ステップと、を有することを特徴とする。
【００１９】
請求項１０記載の発明は、請求項６乃至９のいずれかに記載の発明において、前記意見文出力ステップが、前記エフェクト前後の意見文取得ステップによって取得された意見文の種類毎の出現数に基づいて、当該意見文の種類の統計情報を算出する意見集計ステップと、前記意見集計ステップによって算出された統計情報を、前記オブジェクトの名前，前記アクションの種類と共に、エフェクト前後別に意見文を出力するステップと、を有することを特徴とする。
【００２０】
請求項１１記載の発明は、意見文出力プログラムであって、請求項１乃至５のいずれかに記載の意見文出力装置における各手段を、コンピュータで実行可能なコンピュータプログラムとして記述したことを特徴とする。
【００２１】
請求項１２記載の発明は、記録媒体であって、請求項１１に記載の意見文出力プログラムを記録したことを特徴とする。
【００２２】
前記請求項１または６に記載の発明は、意見文がエフェクト前のものであるか、エフェクト後のものであるか、を区別して提示できる。
【００２３】
前記請求項２または７に記載の発明は、アクションの種類に応じたアクション起動日を取得できる。
【００２４】
前記請求項３，４，８，９に記載の発明は、アクション起動日と、意見文の記述日時と、に基づいて、意見文が、エフェクトの前か後かを判定できる。
【００２５】
前記請求項５または１０に記載の発明は、意見文の種類の統計情報を取得できる。
【００２６】
前記請求項１１に記載の発明は、請求項１乃至５のいずれかに記載の意見文出力装置をコンピュータプログラムとして記載できる。
【００２７】
前記請求項１２に記載の発明は、請求項１１に記載の意見文出力プログラムを記録媒体に記録できる。
【発明の効果】
【００２８】
以上示したように請求項１または６の発明によれば、オブジェクトのエフェクト前後における意見文の異同が判り、オブジェクトを容易に比較または選択できるように表示できる。
【００２９】
請求項２または７の発明によれば、アクション起動日に基づいて、意見文を分類できる。
【００３０】
請求項３，４，８，９の発明によれば、アクション起動日と、意見文の記述日時と、に基づいて、意見文を判定できる。
【００３１】
請求項５または１０の発明によれば、意見文の種類の統計情報を提示できる。
【００３２】
請求項１１の発明によれば、意見文出力装置としてコンピュータを動作させるコンピュータプログラムを提供できる。
【００３３】
請求項１２の発明によれば、意見文出力装置としてコンピュータを動作させるコンピュータプログラムを記録した記録媒体を提供できる。
【００３４】
これらを以って情報処理技術分野に貢献できる。
【発明を実施するための最良の形態】
【００３５】
以下、本発明の実施形態における意見文出力装置の構成を図１に基づいて説明する。なお、以下の説明では、作品（もしくはイベント）を例として説明しているが、作品（もしくはイベント）のような生産物に限らずに、オブジェクトに適応できるものである。また、オブジェクトに対する働き（例えば、公開，実施）をアクションと称する。アクションは、例えば、アクション毎に付与された識別子によって、識別できるものとする。また、オブジェクトから受ける影響（例えば、視聴，体験）をエフェクトと称する。
【００３６】
図１中の意見文出力装置は、オブジェクト（例えば、作品，イベント）に関する情報を入力するオブジェクト情報入力手段１，当該オブジェクトの名前とアクション（例えば、公開，実施）の種類に対する意見文をオブジェクトから受けたエフェクト（例えば、視聴，体験）の前後に分けて取得するエフェクト前後別の意見文取得手段２，取得されたエフェクト前後に分けられた意見文を、当該オブジェクトの名前，当該アクションの種類と共に出力する意見文出力手段３，オブジェクト文記憶装置４を備える。
【００３７】
なお、意見文出力装置は、該意見文出力装置における各手段（各部），各装置を制御する制御手段（例えば、ＣＰＵ（Ｃｅｎｔｒａｌ  Ｐｒｏｃｅｓｓｉｎｇ  Ｕｎｉｔ）やＯＳ（Ｏｐｅｒａｔｉｎｇ  Ｓｙｓｔｅｍ））を備えていてもよい。意見文出力装置は、一般的な記憶装置（例えば、メモリやハードディスク装置）を備えていても良い。オブジェクト文記憶装置４は、データベースを構成された前記一般的な記憶装置（データベース装置）を含んでも良い。
【００３８】
本実施形態における意見文出力装置に備えられた各手段及び装置を更に詳しく説明する。
【００３９】
オブジェクト情報入力手段１は、一般的な情報入力装置等を使ってオブジェクトに関する情報を入力する手段であって、さらに、名前入力手段１１，アクションの種類入力手段１２を備える。例えば、一般的な情報入力装置であるキーボード装置などのユーザーインタフェース装置やネットワークなどの通信回線を介して通信装置からオブジェクトに関する情報を入力する。
【００４０】
名前入力手段１１は、一般的な情報入力装置等を使ってオブジェクトの名前を入力する。
【００４１】
アクションの種類入力手段１２は、一般的な情報入力装置等を使ってオブジェクトに対するアクションの種類を入力する。
【００４２】
エフェクト前後別の意見文取得手段２は、オブジェクト情報入力手段１によって入力されたオブジェクトの名前に応じた意見文をオブジェクト文記憶装置４から取得する。
【００４３】
また、エフェクト前後別の意見文取得手段２は、後述するアクション起動日取得手段によって、入力されたアクションの種類に応じたアクション起動日を取得する。そして、そのアクション起動日に基づいてエフェクト前後に分類し、オブジェクト情報入力手段１によって入力されたオブジェクトの名前に応じた意見文をオブジェクト文記憶装置４から取得しても良い。
【００４４】
また、エフェクト前後別の意見文取得手段２は、後述するアクション起動日取得手段によって、入力されたアクションの種類に応じたアクション起動日を取得する。そして、そのアクション起動日に基づいて、後述するエフェクト前後判定手段によってエフェクト前後に分類し、オブジェクト情報入力手段１によって入力されたオブジェクトの名前に応じた意見文をオブジェクト文記憶装置４から取得しても良い。
【００４５】
アクション起動日取得手段は、前記名前入力手段１１によって入力されたオブジェクトの名前に関して、前記アクションの種類入力手段１２によって入力されたアクションの種類に応じたアクション起動日を、アクション情報記憶装置（この装置については後述する）から取得する。
【００４６】
エフェクト前後判定手段は、前記アクションの種類入力手段１２によって入力されたアクションの種類に応じて、アクション起動日取得手段によって取得したアクション起動日と、意見文の記述日時と、に基づいて、オブジェクト文記憶装置４に含まれている意見文が、エフェクトの前か後かの判定を行う。
【００４７】
前記エフェクト前後判定手段をより具体的な説明すると、以下の一定期間の意見文取得手段，単位時間当たりの文書数取得手段，エフェクト開始日特定手段を用いて、エフェクトの前か後かの判定を行っても良い。
【００４８】
一定期間の意見文取得手段は、前記アクション起動日取得手段によって取得されたアクション起動日に基づいて、予め決めた期間内に記述された意見文を、前記オブジェクト文記憶装置から取得する。
【００４９】
単位時間当たりの文書数取得手段は、前記一定期間の意見文取得手段で取得された意見文に対して、単位時間（例えば、１日）当たりの意見文が記述された文書数を集計する。
【００５０】
エフェクト開始日特定手段は、次のようにエフェクト開始日を特定する。前記文書数取得手段で集計された単位時間当たりの文書数に基づいて、隣接した時間（例えば、２日間）内の文書数の差が一定数以上あった日をエフェクト開始日として出力する。また、全意見文に対して隣接した時間の文書数の差が一定数以上なければ、前記アクション起動日取得手段によって取得されたアクション起動日をエフェクト開始日として出力する。
【００５１】
アクション情報記憶装置は、オブジェクトの名前（例えば、作品名，イベント名），アクション（例えば、公開，実施）の種類，アクション起動日（例えば、公開日，実施日）を含むアクション情報を記憶し管理していても良い。なお、アクション情報記憶装置は、データベースを構成された前記一般的な記憶装置（データベース装置）を含んでも良い。
【００５２】
意見文出力手段３は、エフェクト前後別の意見文取得手段２によって取得された意見文を、当該オブジェクトの名前，アクションの種類と共にエフェクト前後に分けて出力する。例えば、視認できるように、ディスプレイ装置などの表示装置などに出力しても良い。
【００５３】
また、意見文出力手段３は、前記エフェクト前後の意見文取得手段２によって取得された意見文の種類毎の出現数に基づいて、当該意見文の種類の統計情報を算出する意見集計手段と、当該意見集計手段によって算出された統計情報を、前記オブジェクトの名前，前記アクションの種類と共に、エフェクト前後別に意見文を出力する手段と、を含んでも良い。
【００５４】
オブジェクト文記憶装置４は、オブジェクトの名前，オブジェクトに対する意見文，該意見文を含む文書の識別子である文書ＩＤ（Ｉｄｅｎｔｉｆｉｅｒ），該意見文が記述された記述日（もしくは記述日時）を含むオブジェクト文情報を記憶し管理する。また、所定のエフェクト前後で、前記オブジェクト文情報を予め分類し管理していても良い。例えば、ユーザが、意見文を記述した際にエフェクト前か後かを入力してもらい、その入力されたエフェクト前か後かの情報に基づいて分類されたオブジェクト文情報を、オブジェクト文記憶装置４で管理しても良い。
【００５５】
本発明の実施形態における意見文出力装置の動作を示すフローチャートである図２に基づいて説明する。
【００５６】
まず、一般的な情報入力装置等を使ってオブジェクトの名前を入力する（Ｓ１０１）。
【００５７】
次に、一般的な情報入力装置等を使ってオブジェクトに対するアクションの種類を入力する（Ｓ１０２）。
【００５８】
次に、前記オブジェクトの名前を入力するステップＳ１０１によって入力されたオブジェクトの名前に応じ、エフェクト前後別に意見文をオブジェクト文記憶装置４から取得する（Ｓ１０３）。
【００５９】
そして、取得されたエフェクト前後に分けられた意見文を、入力されたオブジェクトの名前と、入力されたアクションの種類と共に出力する（Ｓ１０４）。
【００６０】
また、前記エフェクト前後別の意見文を取得するステップＳ１０３は、前記オブジェクトの名前を入力するステップＳ１０１によって入力されたオブジェクトの名前と、前記アクションの種類を入力するステップＳ１０２によって入力されたアクションの種類と、に応じたアクション起動日を、アクション情報記憶装置から取得するアクション起動日取得ステップを含んでも良い。
【００６１】
また、前記エフェクト前後別の意見文を取得するステップＳ１０３は、前記アクション起動日取得ステップで取得したアクション起動日に基づいて、オブジェクト文記憶装置４に含まれている意見文を分類するステップを含んでも良い。
【００６２】
また、前記エフェクト前後別の意見文を取得するステップＳ１０３は、前記アクション起動日取得ステップで取得したアクション起動日と、意見文の記述日時と、に基づいて、オブジェクト文記憶装置４に含まれている意見文が、エフェクトの前か後かを判定するステップを含んでも良い。
【００６３】
前記エフェクトの前か後かを判定するステップをより具体的な説明すると、以下の一定期間の意見文取得ステップ，単位時間当たりの文書数取得ステップ，エフェクト開始日特定ステップを用いて、エフェクトの前か後かの判定を行っても良い。
【００６４】
一定期間の意見文取得ステップは、前記アクション起動日取得ステップによって取得されたアクション起動日に基づいて、予め決めた期間内に記述された意見文を、前記オブジェクト文記憶装置から取得する。
【００６５】
単位時間当たりの文書数取得ステップは、前記一定期間の意見文取得ステップで取得された意見文に対して、単位時間（例えば、１日）当たりの意見文が記述された文書数を集計する。
【００６６】
エフェクト開始日特定ステップは、次のようにエフェクト開始日を特定する。前記文書数取得ステップで集計された単位時間当たりの文書数に基づいて、隣接した時間（例えば、２日間）内の文書数の差が一定数以上あった日をエフェクト開始日として出力する。また、全意見文に対して隣接した時間の文書数の差が一定数以上なければ、前記アクション起動日取得ステップによって取得されたアクション起動日をエフェクト開始日として出力する。
【００６７】
また、前記意見文を出力するステップＳ１０４は、前記エフェクト前後の意見文を取得するステップＳ１０３によって取得された意見文の種類毎の出現数に基づいて、当該意見の種類の統計情報を算出する意見文を集計するステップと、当該意見文を集計するステップによって算出された統計情報を、前記オブジェクト，前記アクションの種類と共に、前記エフェクト前後別に意見文を出力するステップと、を含んでも良い。
【００６８】
なお、本実施形態の意見文出力装置における各手段の一部もしくは全部の機能をコンピュータのプログラムで構成し、そのプログラムをコンピュータを用いて実行して本発明を実現することができること、本実施形態の意見文出力装置に関する方法（手順）をコンピュータのプログラムで構成し、そのプログラムをコンピュータに実行させることができることは言うまでもなく、コンピュータでその機能を実現するためのプログラムを、そのコンピュータが読み取り可能な記録媒体（記憶媒体）、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、リムーバブルディスクなどに記録して、保存したり、配布したりすることが可能である。また、上記のプログラムをインターネットや電子メールなど、ネットワークを通して提供することも可能である。
【００６９】
さらに、上述の本実施形態の意見文出力装置に関する方法を記述したコンピュータプログラムを、その方法に必要とされる入出力データを格納したメモリや外部記憶部等にアクセスするように実装してもよい。
【００７０】
以下、本実施形態における実施例を説明する。なお、以下の実施例は、オブジェクトを作品、アクションを公開、アクション起動日を公開日、エフェクトを視聴としている。
【００７１】
[実施例１]
実施例１における意見文出力装置の構成を図３に基づいて説明する。
【００７２】
図３中の意見文出力装置は、複数の作品に関する情報を入力する複数作品情報入力部１０１，視聴前後別の意見文取得部２１，意見文出力部３１，作品文記憶装置４１，公開日記憶装置５１を備える。
【００７３】
さらに、複数作品情報入力部１０１は、複数タイトル入力部１０１１、１つの公開の種類入力部１０１２を備える。
【００７４】
複数タイトル入力部１０１１は、複数のタイトル（作品名）を入力する。
【００７５】
１つの公開の種類入力部１０１２は、１つの公開の種類を入力する。
【００７６】
また、視聴前後別の意見文取得部２１は、公開日取得部２１１，視聴前後判定部２１２を備える。
【００７７】
公開日取得部２１１は、複数作品情報入力部１０１によって入力されたタイトル（作品名）と公開の種類毎に、公開日を公開日記憶装置５１から取得する。
【００７８】
視聴前後判定部２１２は、複数作品情報入力部１０１によって入力されたタイトル（作品名）と、公開の種類と、に応じた意見文と該意見文の記述日を作品文記憶装置４１から取得し、その取得した意見文を前記記述日に応じて視聴前後に判定する。
【００７９】
意見文出力部３１は意見集計部３１１を備え、該意見集計部３１１は、視聴前後別の意見文取得部２１によって取得された意見文の種類毎の出現数に基づいて、当該意見文の種類の統計情報を算出し、当該統計情報を当該タイトル（作品名），当該公開の種類と共に、視聴前後別に出力する。
【００８０】
作品文記憶装置４１は、作品のタイトル（名前），作品に対する意見文，該意見文を含む文書の識別子である文書ＩＤ（Ｉｄｅｎｔｉｆｉｅｒ），該意見文が記述された記述日（もしくは記述日時）を含む作品文情報を記憶し管理する。なお、作品文記憶装置４１は、オブジェクト文記憶装置の一例である。
【００８１】
公開日記憶装置５１は、作品のタイトル（名前），公開の種類，公開日を含む作品公開日情報を記憶し管理していても良い。なお、公開日記憶装置５１は、アクション情報記憶装置の一例である。
【００８２】
実施例１における意見文出力装置の動作を示すフローチャートである図４に基づいて説明する。
【００８３】
まず、複数タイトル入力部１０１１によって、意見文を比較したい複数のタイトル（作品名）を入力する（Ｓ２０１：複数タイトル入力ステップ）。
【００８４】
例えば、映画タイトル「映画Ａ１」とその続編の映画タイトル「映画Ａ２」の意見文を、その映画タイトルの映画を観る前後で比較したい場合について説明する。まず、複数タイトル入力部１０１１によって、映画タイトル「映画Ａ１」，「映画Ａ２」を入力する。なお、特定の映画名を入力しているが、比較したい映画一覧を予め備えられた一般的な記憶装置に格納しておき、その一般的な記憶装置から順次比較する映画名を入力しても良い。映画一覧は、例えば、映画紹介のｗｅｂサイトから入手できる。
【００８５】
次に、１つの公開の種類入力部１０１２によって、意見文を比較したい１つの公開の種類を入力する（Ｓ２０２：１つの公開の種類入力ステップ）。例えば、比較する種類を「映画上映」とし、１つの公開の種類入力部１０１２によって、「映画上映」を入力する。
【００８６】
次に、ステップＳ２０１で入力されたタイトル（作品名）と、ステップＳ２０２で取得された公開の種類と、に応じた公開日を、公開日記憶装置５１から取得する（Ｓ２０３：公開日取得ステップ）。
【００８７】
例えば、図５中の映画名Ｃ１１と映画上映の公開日Ｃ１２から構成される映画公開日一覧Ｔ１が、公開日記憶装置５１に格納されていたとする。なお、このような映画名Ｃ１１と映画上映の公開日Ｃ１２のデータそのものは、例えば、映画のｗｅｂ公式サイトから入手できる。この例では、ステップＳ２０１で、映画タイトル「映画Ａ１」，「映画Ａ２」が入力されているので、それぞれの映画上映の公開日を、「２００４年２月１日」，「２００６年７月１日」と取得する。
【００８８】
次に、ステップＳ２０１で入力されたタイトル（作品名）と、ステップＳ２０２で入力された公開の種類と、に応じて、かつ、視聴前後に分類して、作品文記憶装置４１から意見文を取得する（Ｓ２０４：視聴前後判定ステップ）。
【００８９】
ステップ２０４において、視聴前後判定部２１２が、視聴前後別に意見文を取得する一例を図６，図７，図８に基づいて説明する。なお、図６は視聴前後判定部２１２の構成例、図７は意見文を視聴の前後に分ける処理（以後、視聴前後判定処理という）のフローチャート例、図８は視聴開始日を特定する処理（以後、視聴開始日特定処理という）のフローチャート例である。
【００９０】
図６中の視聴前後判定部２１２は、一定期間の意見文取得部２１２１，１日当たりの文書数取得部２１２２，視聴開始日特定部２１２３を備え、作品文記憶装置４１にアクセスする。
【００９１】
一定期間の意見文取得部２１２１は、公開日取得部２１１によって取得された公開日に基づいて、予め決めた期間内に記述された意見文を、作品文記憶装置４から取得する。
【００９２】
１日当たりの文書数取得部２１２２は、一定期間の意見文取得部２１２１で取得された意見文に対して、１日当たりの意見文が記述された文書数を集計する。
【００９３】
視聴開始日特定部２１２３は、文書数取得部２１２２で集計された１日当たりの文書数に基づいて、隣接した２日間の文書数の差が一定数以上あった日を視聴開始日として出力する。また、全意見文に対して隣接した２日間の文書数の差が一定数以上なければ、基準である公開日（即ち、前記公開日取得部２１１によって取得された公開日）を視聴開始日として出力する。
【００９４】
次に、図７に基づいて視聴前後判定処理を説明する。
【００９５】
公開日取得部２１１で取得された公開日を基準に予め決定した期間内に記述された意見文を、作品文記憶装置４１から取得する（Ｓ１０４０１：一定期間の意見文取得ステップ）。
【００９６】
例えば、公開日を基準として決めた期間を、映画上映の公開日を含めない前３日間と公開日を含めた後３日間の合計６日とした場合を以下に説明する。映画タイトル「映画Ａ１」はステップＳ２０３で公開日が「２００４年２月１日」と取得しているので、取得する意見文の期間は、２００４年１月２９日から２００４年２月３日、映画タイトル「映画Ａ２」はステップＳ２０３で公開日が「２００６年７月１日」と取得しているので、取得する意見文の期間は、２００６年６月２８日から２００６年７月３日となる。
【００９７】
また、上述の例において、これら公開日を基準として決めた期間内の文書ＩＤ（意見文を含む文書を識別する識別子）  Ｃ２１毎の記述日Ｃ２２と意見文Ｃ２３が、映画タイトル「映画Ａ１」は図９中の意見文一覧Ｔ２１のように、映画タイトル「映画Ａ２」は図１０中の意見文一覧Ｔ２２のように取得されたとする。
【００９８】
また、図９中の文書ＩＤ  Ｃ２１が「Ａ１−１」の場合は、記述日Ｃ２２が「２００４年１月２９日」、意見文Ｃ２３は「出演者が気になる」が取得される。図１０中の文書ＩＤ  Ｃ２１が「Ａ２−１」の場合は、記述日Ｃ２２が「２００６年６月２８日」、意見文Ｃ２３は「ストーリーが気になる」が取得される。これらのような意見文一覧は、例えば、非特許文献１の方法を利用して、映画タイトル「映画Ａ１」や映画タイトル「映画Ａ２」に関して記述されたブログ記事から意見文を抽出すれば、ブログ記事毎にその記述日と意見文を抽出し、取得できる。
【００９９】
次に、ステップＳ１０４０１で取得された意見文に対して、１日当たりに記述された意見文の文書数を集計する（Ｓ１０４０２：１日当たりの文書数取得ステップ）。例えば、映画タイトル「映画Ａ１」は、図９に基づいて２００４年１月２９日の文書数は１、２００４年２月２日の文書数は２、と集計される。同様に、映画タイトル「映画Ａ２」は、図１０に基づいて２００６年６月２８日の文書数は１、２００６年７月１日の文書数は２、と集計される。
【０１００】
次に、ステップＳ１０４０２で集計された１日当たりの文書数に基づいて、隣接した２日間の文書数の差が一定数以上あった日を視聴開始日として出力する（ステップＳ１０４０３：視聴開始日特定ステップ）。また、全意見文に対して隣接した２日間の文書数の差が一定数以上なければ、基準である公開日を視聴開始日として出力する。ここで、視聴開始日特定処理を図８に基づいて説明する。
【０１０１】
まず、公開日をＮとする（Ｓ１０４０３ａ）。例えば、映画タイトル「映画Ａ１」は、ステップＳ２０３で公開日が「２００４年２月１日」と取得しているので、この公開日Ｎには「２００４年２月１日」が代入される。
【０１０２】
次に、最後の意見文の記述日を最終意見日Ｌとする（Ｓ１０４０３ｂ）。映画タイトル「映画Ａ１」は、ステップＳ１０４０１で取得した最後の意見文の記述日は「２００４年２月３日」なので、この最終意見日Ｌには、「２００４年２月３日」が代入される。
【０１０３】
次に、公開日（Ｎ−１）と公開日Ｎの文書数の差を文書数差Ｄとする（Ｓ１０４０３ｃ）。今、公開日Ｎは「２００４年２月１日」であるので、公開日（Ｎ−１）は「２００４年１月３１日」となる。ステップＳ１０４０２の集計よって、「２００４年１月３１日」の文書数は１、「２００４年２月１日」の文書数は１であるので、文書数の差は０となり、文書数差Ｄには０が代入される。
【０１０４】
次に、文書数差Ｄが予め決めた数以上か否かを判断する（Ｓ１０４０３ｄ）。この例では、隣接する２日間の文書数の差が１以上を判断基準とする。文書数差Ｄは０であるので、１以上の条件に合わず「ｎｏ」が選択され、ステップＳ１０４０３ｆへ進む。
【０１０５】
ステップ１０４０３ｆでは、公開日Ｎを１日増やす。今、公開日Ｎは「２００４年２月１日」であるので、新たに、公開日Ｎには「２００４年２月２日」が代入される。
【０１０６】
次に、公開日Ｎが最終意見日Ｌより大きいか否か（即ち、ステップＳ１０４０１で取得した意見文の最後の記述日の次の日まで処理が進んだか否か）を判断する（Ｓ１０４０３ｇ）。なお、ステップＳ１０４０３ｂで最終意見日Ｌが「２００４年２月３日」と代入されている。現在の公開日Ｎの値である「２００４年２月２日」は、この最終意見日Ｌよりも大きくないので、「ｎｏ」が選択され、ステップＳ１０４０３ｃへ進む。最後の記述日の次の日まで処理が進んだ場合は、「ｙｅｓ」が選択され、ステップＳ１０４０３ｈへ進む。この場合は、公開日以降の文書数がステップＳ１０４０１で取得した意見文の中では、予め決めた閾値（文書数の差）を越えなかった場合である。
【０１０７】
ステップＳ１０４０３ｈでは、公開日を視聴開始日として（設定して）、当該処理を終了する。
【０１０８】
上述の例では、ステップＳ１０４０３ｇからステップＳ１０４０３ｃへ進み、現在の公開日Ｎの値は「２００４年２月２日」であるので、文書数差Ｄへは「２００４年２月１日」で文書数は１と「２００４年２月２日」で文書数は２の差である１が代入される。再度ステップＳ１０４０３ｄで、２日間の文書数の差が１以上かどうか判断される。現在文書数の差である文書数差Ｄの値が１であるので、「ｙｅｓ」が選択され、ステップＳ１０４０３ｅへ進む。
【０１０９】
ステップＳ１０４０３ｅでは、公開日Ｎを視聴開始日とする。今、公開日Ｎは「２００４年２月２日」であるので、「２００４年２月２日」が視聴開始日となり、視聴開始日特定処理は終了する。
【０１１０】
以上の視聴開始日特定処理の例によって、映画タイトル「映画Ａ１」では、視聴開始日は「２００４年２月２日」となった。「映画Ａ２」でも、同じ処理をすると、視聴開始日は「２００６年７月１日」となる。
【０１１１】
なお、図６、図７、図８では、視聴前後別の意見文を取得する一例であって、他に、最初から公開日を視聴開始日と設定したり、映画サイトで意見記述する人に観たか否かの情報を投入してもらい、その情報を利用したりするなど、視聴開始日が特定できる方法であれば何でも良い。
【０１１２】
そして、視聴前後判定部２１２は、前記特定された視聴開始日と当該意見文の記述日に基づいて、当該意見文の記述が視聴前か後かを判定する。
【０１１３】
ここで、図４中のステップＳ２０４に戻って、説明を続ける。映画タイトル「映画Ａ１」の視聴開始日は「２００４年２月２日」となったため、映画タイトル「映画Ａ１」に関して取得された全意見文から、映画を観る（視聴する）前として「２００４年１月２９日」から「２００４年２月１日」に記述された意見文が取得され、映画を観た（視聴した）後として「２００４年２月２日」から「２００４年２月３日」に記述された意見が取得される。
【０１１４】
また、映画タイトル「映画Ａ２」の視聴開始日は「２００６年７月１日」となったので、映画タイトル「映画Ａ２」に関して取得された全意見文から、映画を観る前として「２００６年６月２８日」から「２００６年６月３０日」に記述された意見文が取得され、映画を観た後として「２００６年７月１日」から「２００６年７月３日」に記述された意見文が取得される。
【０１１５】
そして、ステップＳ２０４で取得された意見文を、意見集計部３１１によって、意見文の種類毎にその出現数を合計し、ステップＳ２０１で取得されたタイトル（作品名）と、ステップＳ２０２で取得された公開の種類と、応じて、視聴前後に分けて、意見文の種類毎に合計値を出力する（Ｓ２０５：意見文出力ステップ）。
【０１１６】
前述の例で集計された集計結果が図１１中の集計結果Ｔ３である。集計結果Ｔ３は、意見文Ｃ３１、映画に対する意見文の集計数Ｃ３２，Ｃ３３、映画を観る前の意見文の集計数Ｃ３２１，Ｃ３３１、映画を観た後の意見文の集計数Ｃ３２２，Ｃ３３２を有する。この集計結果Ｔ３において、例えば、意見文Ｃ３１「出演者が気になる」の場合、映画タイトルＣ３２「映画Ａ１」の「観る前」Ｃ３２１に２件の意見文があったことを示す。これは、図９において、映画を観る前の意見文として意見文Ｃ２３「出演者が気になる」を集計した結果である。なお、図１１中の空欄は、何も意見がなかったことを示す。
【０１１７】
また、図１１では、意見文種類毎に出現数の合計を算出しているが、他に、出現数の合計値を文書数で割って１文書数当たりの数として算出したり、出現数の合計値を全意見文の種類数で割って意見文の種類毎の割合として算出したりするなど、比較するために都合の良い、意見文の種類毎の出現数に基づいた集計方法であれば何でも良い。また、図１１中の集計結果Ｔ３では、表形式で表示しているが、棒グラフにしたり、円グラフにしたりするなど、見やすい形に加工して表示しても良い。
【０１１８】
図１１を確認することによって、公開時期の異なる映画タイトル「映画Ａ１」と「映画Ａ２」の視聴前後の意見文（もしくは感想文）の異同が判り、未視聴のユーザが映画を容易に比較または選択できる。そのため、例えば、「映画Ａ１」に関しては、前評判として意見文Ｃ３１「出演者が気になる」があったが、実際に観た後はそれよりも意見文Ｃ３１「迫力があった」が多いことが判る。
【０１１９】
また、映画タイトル「映画Ａ１」の続編である映画タイトル「映画Ａ２」の前評判は、意見文Ｃ３１「ストーリーが気になる」があったが、観た後は意見文Ｃ３１「音楽が良い」や意見文Ｃ３１「感動した」が多いことが分かる。一方、視聴前後に分けないで表示すると、例えば「映画Ａ２」の場合、意見文Ｃ３１「音楽が良い」が合計６件と最多となるが、もともと公開前からの評判であったのか、観た後にそう感じたのかが分からない。
【０１２０】
なお、図４では、ステップＳ２０１、ステップＳ２０２と順に実行した場合について説明したが、それらの実行順は問わない。即ち、複数作品情報入力部１０１内の処理において、複数タイトル入力部１０１１，１つの公開の種類入力部１０１２による入力の順番は問わない。
【０１２１】
また、実施例１は、コンピュータに実行させるプログラムとして実装できる。即ち、次のような手順を有するプログラムである。
【０１２２】
（手順１．１）複数のタイトル（作品名）を入力する複数タイトル入力手順。
【０１２３】
（手順１．２）１つの公開の種類を入力する公開の種類入力手順。
【０１２４】
（手順１．３）複数タイトル入力手順によって入力された作品の名前に応じ、視聴前後別に意見文を作品文記憶装置から取得する視聴前後別の意見文取得手順。
【０１２５】
（手順１．４）その視聴前後別の意見文取得手順によって取得された視聴前後に分けられた意見文を、当該タイトル（作品名）、当該公開の種類と共に出力する意見文出力手順。
【０１２６】
なお、前記視聴前後別の意見文取得手順は、前記複数タイトル入力手順によって入力された作品のタイトルと、前記公開の種類入力手順によって入力された公開の種類と、に応じた公開日を、公開日記憶装置から取得する公開日取得手順を有する。
【０１２７】
さらに、前記視聴前後別の意見文取得手順は、前記公開日取得手順で取得した公開日と、意見文の記述日時と、に基づいて、作品文記憶装置に含まれている意見文が、視聴の前か後かを判定する視聴前後判定手順を含む。
【０１２８】
また、前記意見文出力手順は、前記視聴前後の意見文取得手順によって取得された意見文の種類毎の出現数に基づいて、当該意見文の種類の統計情報を算出する意見集計手順と、その意見集計手順によって算出された統計情報を、前記作品名，前記公開の種類と共に、前記視聴前後別に意見文を出力する手順を有しても良い。
【０１２９】
以上のように、実施例１によれば、１つの公開の種類に対して複数の作品について書かれた意見文（もしくは感想文）を視聴前ものであるか、視聴後のものであるか、を区別して表示することによって、複数の作品の公開前後の意見文（もしくは感想文）の異同が判るように、意見文を集計し表示できる。その結果、未視聴（もしくは未体験）のユーザが作品を容易に比較または選択できる。
【０１３０】
[実施例２]
実施例２における意見文出力装置の構成を図１２に基づいて説明する。
【０１３１】
図１２中の意見文出力装置は、１つの作品に関する情報を入力する単一作品情報入力部２０１，視聴前後別の意見文取得部２１，意見文出力部３１，作品文記憶装置４１，公開日記憶装置５１を備える。
【０１３２】
単一作品情報入力部２０１は、１つのタイトル（作品名）を入力するタイトル入力部２０１１，複数の公開の種類入力部２０１２を備える。
【０１３３】
タイトル入力部２０１１は、１つのタイトル（作品名）を入力する。
【０１３４】
複数の公開の種類入力部２０１２は、複数の公開の種類を入力する。
【０１３５】
視聴前後別の意見文取得部２１は、公開日取得部２１１，視聴前後判定部２１２を備える。
【０１３６】
公開日取得部２１１は、単一情報入力部２０１によって入力されたタイトル（作品名）と、公開の種類毎に、公開日を公開日記憶装置５１から取得する。
【０１３７】
視聴前後判定部２１２は、単一情報入力部２０１によって入力されたタイトル（作品名），公開の種類に応じて、作品文記憶装置４１から意見文を視聴前後に分ける。
【０１３８】
意見文出力部３１は、意見集計部３１１を備え、該意見集計部３１１は、視聴前後別の意見文取得部２１によって取得された意見文の種類毎の出現数に基づいて、当該意見文の種類の統計情報を算出し、当該統計情報を当該タイトル（作品名），当該公開の種類と共に、当該視聴前後別に出力する。
【０１３９】
実施例２における意見文出力装置の動作示すフローチャートである図１３に基づいて説明する。
【０１４０】
まず、タイトル入力部２０１１によって、意見文を比較したい１つのタイトル（作品名）を入力する（Ｓ３０１：タイトル入力ステップ）。例えば、映画タイトル「映画Ｂ」の意見文を比較したい場合に、タイトル入力部２０１１によって、映画タイトル「映画Ｂ」を入力する。このように、特定の映画名を入力しているが、比較したい映画一覧を予め備えられた一般的な記憶装置に格納しておき、その一般的な記憶装置から順次比較する映画名を入力しても良い。映画一覧は、例えば、映画紹介のｗｅｂサイトから入手できる。
【０１４１】
複数の公開の種類入力部２０１２によって、意見文を比較したい複数の公開の種類を入力する（Ｓ３０２：複数の公開の種類入力ステップ）。例えば、公開の種類が「映画上映」，「ＤＶＤ発売」であって、各々の種類に応じた意見文を、その映画を観る前後で比較したい場合について説明する。複数の公開の種類入力部２０１２によって、「映画上映」，「ＤＶＤ発売」を入力する。なお、特定の映画に関する公開の種類名を入力しているが、比較したい種類名を予め予め備えられた一般的な記憶装置に格納しておき、その一般的な記憶装置から順次映画に関する公開の種類名を入力しても良い。公開の種類名は、例えば、映画の公式ｗｅｂサイトから入手できる。
【０１４２】
ステップＳ３０１で取得されたタイトル（作品名）、ステップＳ３０２で取得された公開の種類、に応じた公開日を、公開日記憶装置５１から取得する（Ｓ３０３：公開日取得ステップ）。
【０１４３】
例えば、映画タイトル「映画Ｂ」に関して、図１４中の公開種類Ｃ４１と公開日Ｃ４２を有する公開日一覧Ｔ４が、公開日記憶装置５１に格納されていたとする。なお、このような公開の種類と公開日の情報は、例えば、映画の公式ｗｅｂサイトから入手することができる。図１４において、ステップＳ３０２で、公開の種類「映画上映」，「ＤＶＤ発売」が取得されているので、それぞれの公開日は、「２００５年８月１日」，「２００５年１２月１日」と取得される。
【０１４４】
ステップＳ３０１で入力されたタイトル（作品名）と、ステップＳ３０２で入力された公開の種類と、に応じて、かつ、視聴前後に分類して、作品文記憶装置４１から意見文を取得する（Ｓ３０４：視聴前後判定ステップ）。
【０１４５】
例えば、図６，図７，図８に基づいて説明した視聴前後判定部２１２によって、ステップＳ３０４における視聴前後別に意見文を取得する。
【０１４６】
また、予め設定した意見文を取得する期間，隣接した２日間の文書数を実施例１と同じ値とした場合、図１５中の意見文一覧Ｔ２３が取得される。そして、「映画上映」の視聴開始日は「２００５年８月１日」、「ＤＶＤ発売」の視聴開始日は「２００５年１２月１日」となる。なお、図１５中の意見文一覧Ｔ２３のデータ構成は、図９中の意見文一覧Ｔ２１や図１０中の意見文一覧Ｔ２２と同じである。
【０１４７】
そして、意見文出力部３１が、ステップＳ３０４で取得された意見文を、意見集計部３１１によって、意見の種類毎にその出現数を合計し、ステップＳ３０１で取得されたタイトル（作品）と、ステップＳ３０２で取得された公開の種類と、に応じて、かつ、視聴前後に分類して、意見文の種類毎に合計値を出力する（Ｓ３０５：意見文出力ステップ）。
【０１４８】
図１６は、ステップＳ３０５によって図１５における意見文一覧Ｔ２３を集計した集計結果Ｔ５であって、映画Ｂに関する集計結果である。集計結果Ｔ５は、意見文Ｃ５１，映画上映に関する意見文の出現数Ｃ５２，ＤＶＤ発売に関する意見文の出現数Ｃ５３を有する。出現数Ｃ５２は映画を観る（視聴）前の意見文の出現数Ｃ５２１と映画を観た（視聴）後の意見文の出現数Ｃ５２２に分類され、出現数Ｃ５３はＤＶＤを観る（視聴）前の意見文の出現数Ｃ５３１とＤＶＤを観た（視聴）後の意見文の出現数Ｃ５３２に分類されている。
【０１４９】
なお、図１６中では、意見種類毎に出現数の合計を算出しているが、他に、出現数の合計値を文書数で割って１文書数当たりの数として算出したり、出現数の合計値を全意見文の種類数で割って意見の種類毎の割合として算出したりするなど、比較するのに都合の良い、意見文の種類毎の出現数に基づいた集計方法であれば何でもよい。また、図１６では、表形式で表示しているが、棒グラフにしたり、円グラフにしたりするなど、見やすい形に加工して表示しても良い。
【０１５０】
図１６を確認することによって、映画タイトル「映画Ｂ」に関して異なる公開の種類Ｃ５２「映画上映」と公開の種類Ｃ５３「ＤＶＤ発売」の視聴前後の意見文（もしくは感想文）の異同が判り、未視聴のユーザがどの種類の公開を観たら良いかや取りやめるかを容易に判断できる。そのため、例えば、公開の種類Ｃ５２「映画上映」の前評判では意見文Ｃ５１「感動するらしい」と感じた人がおり、実際に観た人も意見文Ｃ５１「感動した」や「悲しかった」が多いことが判る。
【０１５１】
また、公開の種類Ｃ５３「ＤＶＤ発売」の前評判では、映画上映の影響のためか「感動した」の意見が多いが、実際には観た後にはそれよりも意見文Ｃ５１「ストーリーが難解」と感じた意見が多かったことが分かる。このことから、例えば、公開の種類Ｃ５２「映画上映」の場合、映画を観る前にストーリーが分かっていたので感動した人が多く、公開の種類Ｃ５３「ＤＶＤ発売」の場合は、その評判だけで観てしまい意見文Ｃ５１「ストーリーが難解」と感じた人が多かったのではないか、などという分析が可能となる。
【０１５２】
一方、視聴前後に分けないで表示すると、例えば、公開の種類Ｃ５３「ＤＶＤ発売」の場合、意見文Ｃ５１「感動した」が４件となり、意見文Ｃ５１「ストーリーが難解」と感じた人の多さが薄まってしまう。
【０１５３】
なお、図１３ではステップＳ３０１、ステップＳ３０２と順に実行した場合について説明したが、それらの実行順は問わない。即ち、単一作品情報入力部２０１内の処理において、タイトル入力部２０１１，複数の公開の種類入力部２０１２による入力の順番は問わない。
【０１５４】
また、実施例２は、コンピュータに実行させるプログラムとして実装できる。即ち、次のような手順を有するプログラムである。
【０１５５】
（手順２．１）１つのタイトル（作品名）を入力するタイトル入力手順。
【０１５６】
（手順２．２）複数の公開の種類を入力する公開の種類入力手順。
【０１５７】
（手順２．３）そのタイトル入力手順によって入力されたタイトルに応じて、かつ、当該公開の種類の当該作品に対する視聴の前後に分けて作品文記憶装置から、取得する視聴前後別の意見文取得手順。
【０１５８】
（手順２．４）その視聴前後別の意見文取得手順によって取得された視聴前後に分けられた意見文を、当該作品名、当該公開の種類と共に出力する意見文出力手順。
【０１５９】
なお、前記視聴前後別の意見文取得手順は、前記タイトル入力手順によって入力された作品のタイトルと、前記公開の種類入力手順によって入力された公開の種類と、に応じた公開日を、公開日記憶装置から取得する公開日取得手順を有する。
【０１６０】
さらに、前記視聴前後別の意見文取得手順は、前記公開日取得手順で取得した公開日と、意見文の記述日時と、に基づいて、作品文記憶装置に含まれている意見文が、視聴の前か後かを判定する視聴前後判定手順を含む。
【０１６１】
また、前記意見文出力手順は、前記視聴前後の意見文取得手順によって取得された意見文の種類毎の出現数に基づいて、当該意見文の種類の統計情報を算出する意見集計手順と、その意見集計手順によって算出された統計情報を、前記作品名，前記公開の種類と共に、前記視聴前後別に意見文を出力する手順を有しても良い。
【０１６２】
以上のように、実施例２によれば、１つの作品のタイトル，公開の種類に応じ、公開の種類毎に、その作品について書かれた意見文（もしくは感想文）を視聴前か視聴後のものであるかを区別して表示することによって、その作品の公開前後の意見文（もしくは感想文）の異同が判るように、意見文（もしくは感想文）を集計し表示できる。その結果、未視聴（もしくは未体験）のユーザへ作品への勧誘や取りやめの判断材料を提供できる。
【０１６３】
以上、本発明の実施形態について説明したが、本発明は説明した実施形態に限定されるものでなく、各請求項に記載した範囲において各種の変形を行うことが可能である。
【０１６４】
例えば、本実施形態における意見文出力の変形構成として、アクション情報記憶装置及びオブジェクト文記憶装置を１つのデータベース装置で構成しても良い。
【図面の簡単な説明】
【０１６５】
【図１】本実施形態における意見文出力装置の構成図。
【図２】本実施形態における意見文出力装置の動作を示すフローチャート。
【図３】実施例１における意見文出力装置の構成図。
【図４】実施例１における意見文出力装置の動作を示すフローチャート。
【図５】映画公開日一覧の一例を示す図。
【図６】視聴前後判定部の構成の一例を示す図。
【図７】視聴前後判定処理を示すフローチャート。
【図８】視聴開始日特定処理を示すフローチャート。
【図９】意見文一覧の例１を示す図。
【図１０】意見文一覧の例２を示す図。
【図１１】集計結果の例１を示す図。
【図１２】実施例２における意見文出力装置の構成図。
【図１３】実施例２における意見文出力装置の動作を示すフローチャート。
【図１４】公開日一覧の一例を示す図。
【図１５】意見文一覧の例２を示す図。
【図１６】集計結果の例２を示す図。
【符号の説明】
【０１６６】
１…オブジェクト情報入力手段
２…エフェクト前後別の意見文取得手段
３…意見文出力手段
４…オブジェクト文記憶装置
１１…名前入力手段
１２…アクションの種類入力手段
２１…視聴前後別の意見文取得部
３１…意見文出力部
４１…作品文記憶装置
５１…公開日記憶装置
１０１…複数作品情報入力部
２０１…単一作品情報入力部
２１１…公開日取得部
２１２…視聴前後判定部
３１１…意見集計部
１０１１…複数タイトル入力部
１０１２…１つの公開の種類入力部
２０１１…タイトル入力部
２０１２…複数の公開の種類入力部
２１２１…一定期間の意見文取得部
２１２２…１日当たりの文書数取得部
２１２３…視聴開始日特定部
Ｃ１１…映画名
Ｃ１２…映画上映の公開日
Ｃ２１…文書ＩＤ
Ｃ２２…記述日
Ｃ２３，Ｃ３１，Ｃ５１…意見文
Ｃ３２，Ｃ３３…映画に対する意見文の集計数
Ｃ３２１，Ｃ３３１…映画を観る前の意見文の集計数
Ｃ３２２，Ｃ３３２…映画を観た後の意見文の集計数
Ｃ４１…公開種類
Ｃ４２…公開日
Ｃ５２…映画上映に関する意見文の出現数
Ｃ５３…ＤＶＤ発売に関する意見文の出現数
Ｃ５２１…映画を観る（視聴）前の意見文の出現数
Ｃ５２２…映画を観た（視聴）後の意見文の出現数
Ｃ５３１…ＤＶＤを観る（視聴）前の意見文の出現数
Ｃ５３２…ＤＶＤを観た（視聴）後の意見文の出現数
Ｔ１…映画公開日一覧
Ｔ３，Ｔ５…集計結果
Ｔ２１，Ｔ２２，Ｔ２３…意見文一覧
Ｔ４…公開日一覧
【図１】
2008305040.tif 000003
【図２】
2008305040.tif 000004
【図３】
2008305040.tif 000005
【図４】
2008305040.tif 000006
【図５】
2008305040.tif 000007
【図６】
2008305040.tif 000008
【図７】
2008305040.tif 000009
【図８】
2008305040.tif 000010
【図９】
2008305040.tif 000011
【図１０】
2008305040.tif 000012
【図１１】
2008305040.tif 000013
【図１２】
2008305040.tif 000014
【図１３】
2008305040.tif 000015
【図１４】
2008305040.tif 000016
【図１５】
2008305040.tif 000017
【図１６】
2008305040.tif 000018